(57)【要約】【課題】付着した化粧墨を簡単に除去することができ、化粧墨による汚損が起きにくいまつげカーラーを提供することである。【解決手段】薄板状のヘラ（第１のまつげ押圧片）１と、少なくともこのヘラ１と向き合う側の面が弾性材料から構成された受け台（第２のまつげ押圧片）２と、このヘラ１および受け台２を保持するとともに、開閉操作によって、ヘラ１と受け台２とを近接・離間させることができるよう構成されたカーラー本体部Ａとを具備してなるまつげカーラーであって、少なくともヘラ１が、ステンレスから構成されているまつげカーラー。【選択図】    図１
2004236735.tif 000002
【特許請求の範囲】
【請求項１】
薄板状の第１のまつげ押圧片と、
少なくとも前記第１のまつげ押圧片と向き合う側の面が弾性材料から構成された第２のまつげ押圧片と、
前記第１のまつげ押圧片および前記第２のまつげ押圧片を保持するとともに、開閉操作によって、前記第１のまつげ押圧片と前記第２のまつげ押圧片とを近接・離間させることができるよう構成されたカーラー本体部と
を具備してなるまつげカーラーであって、
少なくとも前記第１のまつげ押圧片が、ステンレスから構成されてなることを特徴とするまつげカーラー。
【請求項２】
一端に第１の指掛け部が設けられた略Ｙ字形のベース部と、
一端に第２の指掛け部が設けられ、かつ、前記ベース部に対して回動自在に連結されたレバー部と、
一端が前記レバー部の他端に回動可能に連結され、かつ、他端が前記ベース部に沿って変位するよう拘束されたロッド部と、
前記ベース部（または前記ロッド部）の他端に配設された薄板状の第１のまつげ押圧片と、
前記ロッド部（または前記ベース部）の他端に配設された、少なくとも前記第１のまつげ押圧片と向き合う側の面が弾性材料から構成された第２のまつげ押圧片と
を具備し、
前記第１の指掛け部および前記第２の指掛け部を操作して前記レバー部を回動させることで、前記第１のまつげ押圧片と前記第２のまつげ押圧片とを近接・離間させることができるよう構成されたまつげカーラーであって、
少なくとも前記第１のまつげ押圧片が、ステンレスから構成されてなることを特徴とするまつげカーラー。
【請求項３】
金属製の部材全てがステンレスから構成されてなることを特徴とする請求項１または請求項２に記載のまつげカーラー。
【請求項４】
ベース部は、樹脂製の第１の指掛け部と、一端側がこの第１の指掛け部に形成した凹部に嵌合収容される金属製のベース部本体とを具備してなるとともに、
レバー部は、樹脂製の第２の指掛け部と、一端側がこの第２の指掛け部に形成した凹部に嵌合収容される金属製のレバー部本体とを具備してなり、
さらに、前記ベース部本体および／または前記レバー部本体において、少なくとも前記凹部に嵌合収容される部分は、自然状態では互いに離反するよう重ね合わされた二つの金属片から構成されてなることを特徴とする請求項２または請求項３に記載のまつげカーラー。
【発明の詳細な説明】
【０００１】
【発明が属する技術分野】
本発明は、まつげのカール処理に用いられる器具に関するものである。
【０００２】
【発明が解決しようとする課題】
まつげをカールさせるのに用いられるまつげカーラーは、概して、上下からまつげを挟み込むヘラと呼ばれる金属薄板および弾性材料で被覆された受け台と、これらの部材を保持する鋏状の本体部とから構成されている。ヘラと受け台との間に挟み込まれるまつげには、本体部を操作することで、その先端が上方を向くよう湾曲させる力が加わる。その結果、まつげは優美にカールした状態となる。
【０００３】
ところで、まつげを長く濃く見せるために、マスカラと呼ばれる化粧墨をまつげに塗布する風習があるが、こうした化粧墨をまつげに塗布した状態でカーラーを使用すると、ある不具合が生じる。すなわち、カール処理の際、受け台と共同でまつげを上下から押圧するカーラーのヘラには、不可避的に化粧墨が付着する。ところが、いったんヘラに付着した化粧墨を除去するのは非常に困難であり、多大な労力を必要とする。したがって本発明が解決しようとする課題は、付着した化粧墨を簡単に除去することができ、化粧墨による汚損が起きにくいまつげカーラーを提供することである。
【０００４】
【課題を解決するための手段】
上記課題を解決するべく鋭意研究を進める過程で本発明者は、ヘラ（押圧片）の材質を他のものに変更することを思いついた。すなわち、これまでカーラーは、ヘラに限らず全体がニッケルメッキされた鋼材から造られていたが、これを何か他の、化粧墨が付着しにくい、あるいは付着しても簡単に除去できる素材に置き換えることを考えた。そして、こうした技術的思想に基づいて、さらに研究を推し進めた結果、本発明者は、ヘラをステンレスから構成すればよいことを突き止めた。こうして、付着した化粧墨を簡単に除去することができ、化粧墨による汚損が起きにくいという優れた特性を有するまつげカーラーを実現することが可能となった。
【０００５】
本発明は、上述したような新知見に基づいてなされたものであり、上記の課題は、
薄板状の第１のまつげ押圧片と、
少なくとも前記第１のまつげ押圧片と向き合う側の面が弾性材料から構成された第２のまつげ押圧片と、
前記第１のまつげ押圧片および前記第２のまつげ押圧片を保持するとともに、開閉操作によって、前記第１のまつげ押圧片と前記第２のまつげ押圧片とを近接・離間させることができるよう構成されたカーラー本体部と
を具備してなるまつげカーラーであって、
少なくとも前記第１のまつげ押圧片が、ステンレスから構成されてなることを特徴とするまつげカーラーによって解決される。
【０００６】
ことに、上記の課題は、
一端に第１の指掛け部が設けられた略Ｙ字形のベース部と、
一端に第２の指掛け部が設けられ、かつ、前記ベース部に対して回動自在に連結されたレバー部と、
一端が前記レバー部の他端に回動可能に連結され、かつ、他端が前記ベース部に沿って変位するよう拘束されたロッド部と、
前記ベース部（または前記ロッド部）の他端に配設された薄板状の第１のまつげ押圧片と、
前記ロッド部（または前記ベース部）の他端に配設された、少なくとも前記第１のまつげ押圧片と向き合う側の面が弾性材料から構成された第２のまつげ押圧片と
を具備し、
前記第１の指掛け部および前記第２の指掛け部を操作して前記レバー部を回動させることで、前記第１のまつげ押圧片と前記第２のまつげ押圧片とを近接・離間させることができるよう構成されたまつげカーラーであって、
少なくとも前記第１のまつげ押圧片が、ステンレスから構成されてなることを特徴とするまつげカーラーによって解決される。
【０００７】
なお、本発明に係るまつげカーラーは、第１のまつげ押圧片だけでなく、金属製の部材全てがステンレスから構成されていることが好ましい。これは以下の理由による。上述したように従来は、鋼材にニッケルメッキを施すことにより錆を防いでいた。ところで、製造コスト削減のため、通常、メッキ処理は部材を連結した後に実施されている。しかしながら、こうして得られた製品は、部材同士が摺接する面に堆積する金属粒子の影響であまり滑らかには開閉せず、操作性に改善の余地があった。これに対して、金属製部材の全てをステンレスから構成した場合には、錆防止のためのメッキ処理が不要であるからこうした問題は起きず、操作性が向上する。つまり、カーラーが非常に滑らかに開閉するようになるので、まつげのカール処理をいっそう巧みに行うことができる。
【０００８】
また、本発明に係るまつげカーラーは、ベース部が、樹脂製の第１の指掛け部と、一端側がこの第１の指掛け部に形成した凹部に嵌合収容される金属製のベース部本体とを具備してなるとともに、レバー部が、樹脂製の第２の指掛け部と、一端側がこの第２の指掛け部に形成した凹部に嵌合収容される金属製のレバー部本体とを具備してなり、さらに、ベース部本体および／またはレバー部本体において、少なくとも指掛け部の凹部に嵌合収容される部分は、自然状態では互いに離反するよう重ね合わされた二つの金属片から構成されていることが好ましい。
【０００９】
このように構成した場合、ベース部本体および／またはレバー部本体の一端側すなわち二つの金属片は、互いに密着するよう僅かに撓んだ状態で、指掛け部の凹部に嵌合収容されることになる。いい換えれば、これら二つの金属片は絶えず凹部内面に圧接した状態となるから、金属片と凹部内面との間には大きな摩擦力が生じる。ゆえに指掛け部は、ベース部本体および／またはレバー部本体から簡単には抜け取れなくなる。こうした構造を採用しない場合、同等の効果を得るには部材に極めて高い寸法精度が要求され、これは直ちに製造コストの上昇につながる。しかし上記のごとく構成した場合、部材には、さほど高い寸法精度は要求されず、その一方で堅固に部材同士を接合できるようになる。
【００１０】
【発明の実施の形態】
以下、図１〜図６を用いて、本発明の一実施形態を具体的に説明する。なお、図１は本実施形態に係るまつげカーラーの全体斜視図、図２および図３は同カーラーの左側面図および右側面図、図４はまつげ押圧部を開放した状態を示す全体斜視図、図５は指掛け部を抜き取った状態を示す斜視図、図６は指掛け部を取り付けた状態を示す平面図である。
【００１１】
本実施形態に係るまつげカーラー（以下、本まつげカーラーという）は、まつげをカールさせるのに用いられる器具である。本まつげカーラーは、図１に加えて図２や図３からもわかるように、概して、ヘラ（第１のまつげ押圧片）１、受け台（第２のまつげ押圧片）２、そしてこれらを保持するカーラー本体部Ａから構成されている。このうちカーラー本体部Ａは、開閉操作によって、ヘラ１と受け台２とを近接・離間させることができるようになっている。さらに詳しくいうと、カーラー本体部Ａは、略Ｙ字形のベース部３、このベース部３に対して回動自在に連結されたレバー部４、そして一端がレバー部４の先端に回動可能に連結され、他端がベース部３に沿って変位するよう拘束されたロッド部５から構成されている。
【００１２】
ベース部３の基端側には、略Ｄ字形の指掛け部（第１の指掛け部）１１が設けられている。いい換えれば、ベース部３は、樹脂製の指掛け部１１と、一端側がこの指掛け部１１に形成した凹部１１ａに嵌合収容される金属製のベース部本体１２とからできあがっている。そして本実施形態では、さらにベース部本体１２を同形状の二つの金属軸１２ａ，１２ｂから構成している。
【００１３】
レバー部４の基端側にも、同じく指掛け部（第２の指掛け部）１３が設けられている。すなわち、レバー部４は、樹脂製の指掛け部１３と、一端側がこの指掛け部１３に形成した凹部１３ａに嵌合収容される金属製のレバー部本体１４とからできあがっている。ただし、この指掛け部１３は上記指掛け部１１とは多少形状が異なり、さらに延在部１３ｂが一体的に設けられている。この延在部１３ｂは、中指（あるいは薬指）に対応したものであり、カーラーの操作性を高める役割を果たす。
【００１４】
レバー部本体１４も、上記ベース部本体１２と同様、同形状の二つの金属軸１４ａ，１４ｂから構成されている。そしてさらにレバー部本体１４は、上記金属軸１２ａと金属軸１２ｂとの間に挟み込まれた状態で、両者にしたがってベース部本体１２にピン結合されており、この結果、レバー部４はベース部３に対して回動自在となっている。なお、金属軸１２ａ，１２ｂおよび金属軸１４ａ，１４ｂにおける互いに交差する部分は、プレス処理によって平板化してある。
【００１５】
ベース部３やレバー部４とともにカーラー本体部Ａを形成するロッド部５は、金属線を折り曲げて得た略Ｕ字形のものであって、その中央部（基端）は、レバー部４の先端に設けた孔に収まっている。このためロッド部５は、上述したごとくレバー部４に対して回動可能である。一方、ロッド部５の二つの先端は、特に図２からわかるように、受け台２の底面に接合されている。ところで受け台２は、弾性体１５とこれを保持する金属製の皿部１６とからできており、さらに皿部１６の左右両端には円孔１６ａ，１６ｂが形成されている。上記金属軸１２ａ，１２ｂそれぞれは、この円孔１６ａ，１６ｂに挿通（遊嵌）されており、これによって受け台２は、したがってロッド部５の二つの先端は、ベース部３に沿って変位するよう拘束されている。
【００１６】
さて、ベース部３の先端には、薄板状のヘラ１が配設されているが、これはステンレス板を湾曲させて得たものである。すなわち、金属軸１２ａの先端と金属軸１２ｂの先端との間に展張された格好となっているヘラ１は、ステンレスから構成されている。左右両端が金属軸１２ａおよび金属軸１２ｂに対して堅固に固定されたヘラ１は、金属軸１２ａと金属軸１２ｂとの間隔を、したがってベース部３の形状を維持する役割も果たしている。なお本実施形態では、他の金属製部材（ベース部本体１２およびレバー部本体１４、ロッド部５、受け台２の皿部１６）も全てステンレスから構成している。
【００１７】
ロッド部５の先端には受け台２が配設されているが、この受け台２は、少なくともヘラ１と向き合う側の面がゴム（弾性材料）から構成されている。すなわち上述したように受け台２は、ゴム製の弾性体１５と、その一部を収納することによりこの弾性材１５と一体化された皿部１６とからなる。なお、当然のことながら、この受け台２についても、ヘラ１と同様、まぶたの膨らみに対応して緩く湾曲させられている。
【００１８】
上記のごとく構成されたまつげカーラーでは、指先、特に親指、人差し指および中指（あるいは中指および薬指）で、指掛け部１１および指掛け部１３を操作してレバー部４を回動させると、ロッド部５を介して、その力が受け台２に伝達される。すると、受け台２はベース部３に沿って変位し、この結果、ヘラ１と受け台２とが近接あるいは離間する。たとえば、図１の状態から図４に示す状態までレバー部４を回動（開操作）させると、受け台２はロッド部５に引かれて降下する。これによりヘラ１と受け台２とは離間する。つまり、まつげ押圧部が開放された状態となる。逆に、図４の状態から図１に示す状態を超えてさらにレバー部４を回動（閉操作）させると、受け台２はロッド部５に押されて最終位置まで上昇する。これによりヘラ１と受け台２とは近接し、まつげを押圧すなわちカール処理できる態勢となる。
【００１９】
ところで、上述したように本実施形態では、ベース部本体１２を同形状の二つの金属軸１２ａ，１２ｂから構成している。また、レバー部本体１４についても、やはり同形状の二つの金属軸１４ａ，１４ｂから構成している。ここで、金属軸１２ａ，１２ｂについていうと、両者の基端、すなわち指掛け部１１の凹部１１ａに嵌合収容される部分はプレス処理により、ともに平板状になっている。さらに本実施形態では、金属軸１２ａ，１２ｂにおけるこの平板部分を、図５に示すごとく、自然状態では互いに離反するようにしている。
【００２０】
換言すれば、ベース部本体１２において、少なくとも凹部１１ａに嵌合収容される部分を、自然状態では互いに離反するよう重ね合わされた二つの金属片から構成している。図５においてθで示すのが、この金属片（金属軸１２ａ，１２ｂにおける平板部分）間の離反角度である。こうした点については、レバー部本体１４についても全く同じであり、金属軸１４ａ，１４ｂにおける指掛け部１３の凹部１３ａに嵌合収容される平板部分を、自然状態では互いに離反するようにしている。
【００２１】
さて本実施形態では、これまでニッケルメッキされた鋼材から造られていたヘラ１をステンレスから構成した。こうした構造の本まつげカーラーを用いて、化粧墨が塗布されたまつげをカール処理した場合、ヘラ１には化粧墨が付着する。しかしながら本まつげカーラーでは、ヘラ１がステンレスから構成されているので、付着した化粧墨を簡単に除去することができ、化粧墨による汚損が起きにくい。すなわち、長期間にわたって美麗な状態を維持することができる。
【００２２】
さらにいえば、本実施形態では、金属製の部材全てをステンレスから構成したから、開閉機能に悪影響を与える防錆メッキ処理が不要である。したがって本まつげカーラーは非常に滑らかに開閉し、操作性に優れる。これに加えて、たとえばベース部本体１２（レバー部本体１４についても同じ）における二つの金属片からなる基端側は、図６に示すごとく、互いに密着するよう僅かに撓んだ状態で、指掛け部１１の凹部１１ａに嵌合収容されている。つまり二つの金属片は、絶えず凹部内面に圧接した状態となるから、金属片と凹部内面との間には大きな摩擦力が生じ、指掛け部１１がベース部本体１２から簡単に抜け取れることはない。この結果、さほど高い寸法精度を要さずに、部材同士の堅固な接合状態が実現されている。
【００２３】
なお、本発明は上記実施形態に限定されるものではなく、たとえばヘラと受け台との位置を逆にすることもできる。すなわち、ヘラをロッド部側に設けるとともに受け台をベース部側に下向きに設けてもよい。この場合には、いうまでもなくヘラの方が変位し、固定された受け台と共同でまつげを押圧することになる。
【００２４】
【発明の効果】
本発明に係るまつげカーラーは、付着した化粧墨を簡単に除去することが可能で、化粧墨による汚損が起きにくく、長期間にわたって美麗な状態を維持することができる。
【図面の簡単な説明】
【図１】本発明の実施形態に係るまつげカーラーの全体斜視図
【図２】本発明の実施形態に係るまつげカーラーの左側面図
【図３】本発明の実施形態に係るまつげカーラーの右側面図
【図４】まつげ押圧部を開放した状態を示す全体斜視図
【図５】指掛け部を抜き取った状態を示す斜視図
【図６】指掛け部を取り付けた状態を示す平面図
【符号の説明】
Ａ                カーラー本体部
１                ヘラ（第１のまつげ押圧片）
２                受け台（第２のまつげ押圧片）
３                ベース部
４                レバー部
５                ロッド部
１１                ベース部の指掛け部（第１の指掛け部）
１１ａ              指掛け部の凹部
１２                ベース部本体
１２ａ，１２ｂ      金属軸
１３                レバー部の指掛け部（第２の指掛け部）
１３ａ              指掛け部の凹部
１３ｂ              指掛け部の延在部
１４                レバー部本体
１４ａ，１４ｂ      金属軸
１５                弾性体
１６                皿部
１６ａ，１６ｂ      皿部の円孔
【図１】
2004236735.tif 000003
【図２】
2004236735.tif 000004
【図３】
2004236735.tif 000005
【図４】
2004236735.tif 000006
【図５】
2004236735.tif 000007
【図６】
2004236735.tif 000008